(57)【要約】【課題】縦枠或いは上下の横枠の断面形状、各枠の接合角度の如何に関わらず、良好な止水性能を発揮させ、且つ接合構造を簡単にする。【解決手段】サッシＡを構成する縦枠１，２と上横枠３，下横枠４とを接合金具５〜８を利用して接合する。各縦枠１，２及び横枠３，４は夫々所定の長さに且つ切断面１ａ〜４ａが単一の平面となるように切断し、接合金具５〜８は縦枠１，２に接合する面５ａ〜８ａ及び各横枠３，４に接合する面５ｂ〜８ｂを夫々単一な平面とすると共に夫々の面を縦枠及び横枠の断面と同等か又は大きい面とし、各縦枠１，２及び各横枠３，４を接合金具５〜８の対応する面５ａ〜８ａ，５ｂ〜８ｂに面接合する。【選択図】       図１
2005133304.tif 000002
【特許請求の範囲】
【請求項１】
サッシを構成する縦枠と横枠との接合部の構造であって、縦枠及び横枠と、縦枠及び横枠に接合する接合金具と、を有し、縦枠及び横枠は夫々所定の長さに且つ切断面が単一の平面となるように切断し、接合金具は縦枠に接合する面及び横枠に接合する面を夫々単一な平面とすると共に夫々の面を縦枠及び横枠の断面と同等か又は大きい面とし、前記縦枠及び横枠を前記接合金具の対応する面に面接合することで縦枠と横枠を接合したことを特徴とするサッシの接合構造。
【請求項２】
前記接合金具と横枠との接合部には平面状の乾式シール材を配置することを特徴とする請求項１に記載したサッシの接合構造。
【請求項３】
サッシを構成する縦枠と横枠とが接合する接合部の構造であって、縦枠及び横枠と、縦枠及び横枠に接合する接合金具と、を有し、縦枠及び横枠は夫々所定の長さに且つ切断面が単一の平面となるように切断し、接合部の勝ち側の枠に於ける室外側に接合金具を固定して一体化し、前記一体化した勝ち側の枠と接合金具の負け側の枠側の面を単一な平面とし、この平面に負け側の枠の切断面を面接合したことを特徴とするサッシの接合構造。
【発明の詳細な説明】
【技術分野】
【０００１】
本発明は、住宅用のサッシを構成する縦枠と横枠とが接合する接合部位の構造に関し、特に、枠の形状に依存することなく、且つ接合角度に関わらず良好な止水性と簡便な施工性を確保し得るように構成した接合構造に関するものである。
【背景技術】
【０００２】
サッシは、左右に配置された一対の縦枠と、上下に配置された上部横枠及び下部横枠を有し、これらの縦枠と上下の横枠を上下左右の隅部で接合して構成されている。住宅用のサッシでは、一対の縦枠や上下の横枠は夫々の部材として特定の機能が付与されるため、夫々機能に沿った形状（断面形状）を持って形成されている。
【０００３】
上記の如く、断面形状の異なる縦枠と上下の横枠との接合部を構成する場合、一方の枠（縦枠又は上下の横枠）を長さ方向と交叉する方向に切断し、他方の枠（上下の横枠又は縦枠）の切断面を前記一方の枠端部の障子側面に対向させ、両者の間に止水性を有するシートを挟み込んだ上で固定している（第１公知例）。
【０００４】
また特許文献１に記載されたように、コーナー窓のように特殊なサッシでは、縦枠としての機能を持つ方立と上下枠とをコーナーブロックを介して連結することもある。この技術では、窓のコーナー部に於ける上下にコーナーブロックを配置し、該コーナーブロックに上下枠を突合せ状に当接すると共にコーナーブロック及び上下枠を略水平状にネジ込んだ固定ネジで相互に固定し、上下のコーナーブロックの間に方立を配置し、この方立をコーナーブロック又は上下枠に対し略水平にネジ込んだ固定ネジで固定している。この技術では、固定ネジが屋外に露出することのない、従って、意匠性の高いコーナー窓を構成することが出来る。
【０００５】
【特許文献１】特開平１１−１０７６２８号公報
【発明の開示】
【発明が解決しようとする課題】
【０００６】
サッシを構成する枠材は、細く且つ複雑な形状を持ったリブが多く、この枠材を構成するリブ毎に確実な止水性を付与しない限り高い止水性を確保することが困難であるという問題が存在している。
【０００７】
上記第１公知例では、一方の枠を構成する枠材の障子側面に他方の枠の切断された面とを対向させたとき、切断面と同形の或いはそれ以上の単一平面が一方の枠の対向部分に形成されない場合、良好な止水性能を持った接合を実現し難いという問題や、枠の接合角度が９０度以外の角度である場合、止水性能を確保し難いという問題がある。
【０００８】
また上記特許文献１の技術は、方立はコーナーブロックに対して平面で面接合したものではなく、水平方向からネジ止めする補助板に方立を嵌め込んで接合したものである。また乾式シール材も単純な平面状のものを使用し得ない。従って、止水性能を確保し難いという問題がある。
【０００９】
本発明の目的は、縦枠或いは上下の横枠の断面形状の如何に関わらず、且つ各枠の接合角度の如何に関わらず、良好な止水性能を発揮することが出来、且つ構造が簡単なサッシの接合構造を提供することにある。
【課題を解決するための手段】
【００１０】
上記課題を解決するために本発明に係るサッシの接合構造（第１の発明）は、サッシを構成する縦枠と横枠との接合部の構造であって、縦枠及び横枠と、縦枠及び横枠に接合する接合金具と、を有し、縦枠及び横枠は夫々所定の長さに且つ切断面が単一の平面となるように切断し、接合金具は縦枠に接合する面及び横枠に接合する面を夫々単一な平面とすると共に夫々の面を縦枠及び横枠の断面と同等か又は大きい面とし、前記縦枠及び横枠を前記接合金具の対応する面に面接合することで縦枠と横枠を接合したものである。
【００１１】
上記サッシの接合構造に於いて、接合金具と横枠との接合部には平面状の乾式シール材を配置することが好ましい（第２の発明）。
【００１２】
また第３の接合構造（第３の発明）は、サッシを構成する縦枠と横枠とが接合する接合部の構造であって、縦枠及び横枠と、縦枠及び横枠に接合する接合金具と、を有し、縦枠及び横枠は夫々所定の長さに且つ切断面が単一の平面となるように切断し、接合部の勝ち側の枠に於ける室外側に接合金具を固定して一体化し、前記一体化した勝ち側の枠と接合金具の負け側の枠側の面を単一な平面とし、この平面に負け側の枠の切断面を面接合したことものである。
【発明の効果】
【００１３】
上記第１の発明に係るサッシの接合構造では、縦枠及び横枠の切断面を単一の平面とし、且つ縦枠及び横枠に接合する接合金具の各枠と対向する面を単一な平面とすることによって、縦枠及び横枠の仕口部の加工が容易で且つ単純化出来る。このため、作業性の向上をはかることが出来る。
【００１４】
上記第２の発明に係るサッシの接合構造では、各枠と接合金物との接合面が単一の平面となり、これらの間に止水性を付与したシートを挟み込んで接合部を構成出来るので、所謂乾式施工となり、良好な施工性と良好な止水性能を確保することが出来る。
【００１５】
また接合金具に形成された単一平面のなす角度を所望の値に設定出来る。このため、縦枠と上下の横枠が互いに直交するもののみに限定されず、矩形以外の形状、例えば台形の窓や三角形の窓或いは五角形の窓のように、如何なる角度で接合される場合であっても対応することが出来、且つ良好な止水性能を確保することが出来る。
【００１６】
このように、接合構造が単純化されるため、サッシを組み立てる際の作業が容易となり、組立工数を削減することが出来る。また接合金具の材質や形状を適宜設定することで、接合部の強度（剛性）を所望の値に設定することが出来、搬送時や設置後の破損を防止することが出来る。
【００１７】
また第３の発明では、上記第１の発明の効果に加えて、負け側の枠の形状が複雑なものであっても止水性を確保することが出来る。
【発明を実施するための最良の形態】
【００１８】
以下、本発明に係るサッシの接合構造の好ましい実施形態について説明する。本発明の接合構造は、サッシに於ける左右両側に配置された一対の縦枠と、上部の横枠及び下部の横枠とを接合する際に、上下左右の各隅部に於ける縦枠と上下の横枠との接合を合理的に行って、各枠材の接合面に於ける止水性能を確保すると共に、工数の削減をはかることを実現したものである。本発明に於いて、縦枠の断面形状、上下に配置される各横枠の断面形状はなんら限定するものではない。従って、通常の住宅用サッシを構成する際に用いる縦枠材や上下の横枠材をそのままで利用することが可能である。
【００１９】
縦枠及び横枠は夫々所定の長さに切断され、この切断面は単一の平面として形成される。即ち、縦枠及び横枠は、サッシの高さ方向の寸法や幅方向の寸法、及び接合金具に対して接合する際の接合角度等の条件に応じた所定の長さを持って切断される。従って、例えば接合金具に形成した接合面が互いに直角である場合、各枠材はサッシの内法寸法を持って切断される。また各枠を切断したとき、各枠の外面に設けた突起状部分の有無に関わらず、これらを切断した面が同一の平面内（単一の平面）に配置される。前記切断面の各枠の長手方向に対する角度は特に限定するものではなく、接合金具に形成された接合面との関係で適宜接待される。
【００２０】
接合金具は、サッシに於ける上下及び左右方向の隅部に配置され、縦枠の上端部と上部の横枠、縦枠の下端部と下部の横枠を接合する機能を有するものである。このため、接合金具の縦枠材又は横枠材を接合する面には、第１の発明では、夫々の枠材の切断面寸法と略等しいか、或いは大きい寸法を持ち、且つ各枠材の端部の切断面の方向に応じた単一の平面からなる接合面が形成されている。
【００２１】
従って、接合金具の接合面が単一な平面として形成されるため、縦枠，横枠の断面形状が如何なる形状を有するものであっても、該縦枠，横枠は端部が単一な切断面として形成されているため、該切断面は接合金具の接合面に一様に当接することが可能であり、各枠の接合金具に対する接触部が均一となる。また接合金具の接合面が各枠材の切断面の寸法と等しいか或いは大きく形成されるため、両者の間に平面状の乾式シール材となる止水性を付与したシート状の止水材を挟み込んで締めつけたとき、該止水材を確実に挟み込んで安定した止水性能を発揮させることが可能となる。
【００２２】
平面状の乾式シール材となるシートとしては、材料や銘柄を特に限定するものではなく、弾性を有し且つ耐候性を持ったゴムシートを含むガスケット或いはパッキンとして用いることが可能なものであれば利用することが可能である。また厚さや他の仕様は、通常の住宅用サッシに用いる止水材と同様のものであることが好ましい。
【００２３】
また接合金具は、サッシに於ける配置位置、即ち、左右何れの側に配置されるか、上下何れに配置されるか、に応じて夫々最適な形状を有する。例えば、左右両側に配置される接合金具は同じ断面形状で勝手違い（対称形）に形成されており、上下に配置される接合金具は勝ち側の枠材（縦枠勝ちの場合は外表面が縦枠と同様に、横枠勝ちの場合は外表面が対応する上下の横枠の外表面と同様に）の断面形状に対応させた形状に形成されている。
【００２４】
従って、接合金具を介して縦枠と上下の横枠とを接合したとき、勝ち側の枠が勝った状態で配置されたものではないにも関わらず、恰も予め設定された勝ち側の枠が存在するかのよう構成となり、意匠性を発揮することが可能となって好ましい。
【００２５】
接合金具に形成された二つの接合面のなす角度は特に限定するものではなく、互いに直交する突き合わせ接合や、予め設定された９０度以外の角度で接合される額縁状の接合部を構成することが可能である。接合面を直交させて設けるか、９０度以外の角度で設けるかは限定するものではなく、サッシの意匠性を考慮して適宜設定することが好ましい。即ち、窓の形状が矩形以外の形状、例えば、台形の窓，三角形の窓，五角形の窓等に利用した場合に有利である。
【００２６】
接合金具の材料は特に限定するものではなく、縦枠及び上下の横枠を構成する材料と同一の材料、或いは異なる材料であっても良い。例えば、各枠の材料がアルミニウムである場合、接合金物はアルミニウムの鋳造品や合成樹脂の成形品を用いることが好ましい。また接合金具の肉厚等の寸法仕様も各枠の材料の肉厚と同一である必要はなく、必要な強度（剛性）を発揮し得るように適宜設定することが好ましい。
【００２７】
縦枠と上下の横枠が接合される接合部に於いて枠の勝ち負けが生じるような場合、接合部には勝ち側の枠が優先されることになる。このため、第２の発明では、勝ち側の枠の室外側の面に接合金具を一体的に取り付けると共に一体化された部位に於ける負け側の枠材を取り付ける面を単一な平面とすることで、負け側の枠材の端部を前記平面と対応する単一の平面として形成し、これらの平面と当接させると共に両者の間に止水材を挟み込むことで、簡便な作業で且つ確実な止水性能を発揮し得るサッシを構成することが可能となる。
【実施例１】
【００２８】
以下、本発明に係る接合構造の好ましい実施例について図を用いて説明する。図１は本発明の接合構造の原理を説明する図である。図に於いて、サッシＡの左右両側には断面が対称形に形成された一対の縦枠１，２が配置され、上部には上横枠３が、下部には下横枠４が配置されている。また縦枠１と上横枠３との接合部には接合金具５が配置され、縦枠１と下横枠４との接合部には接合金具６が配置されている。更に、縦枠２と上横枠３との接合部には接合金具７が、縦枠２と下横枠４との接合部には接合金具８が配置されている。
【００２９】
各枠１〜４は、これらの枠１〜４は長さがサッシＡの内法寸法と等しく、且つ両端は長手方向に直角の切断面１ａ〜４ａとなるように切断されている。このため、接合金具５〜８には互いのなす角度が９０度の接合面５ａ〜８ａ，５ｂ〜８ｂが形成されている。接合金具５〜８に形成された接合面５ａ〜８ａ，５ｂ〜８ｂの面積は、各枠１〜４の切断面１ａ〜４ａの断面積と略等しく形成されている。
【００３０】
各枠１〜４の切断面１ａ〜４ａと、接合金具５〜８の接合面５ａ〜８ａ，５ｂ〜８ｂと、の間には、夫々止水材９が配置されており、切断面１ａ〜４ａと接合面５ａ〜８ａ，５ｂ〜８ｂの間に止水材９を挟み込んで、各枠１〜４の裏面側から接合金具５〜８に向けて図示しないビスを挿通して締結することで、各枠１〜４は接合金具５〜８を介して接合され、これによりサッシＡが構成されている。
【００３１】
上記の如く構成されたサッシＡでは、単一な平面からなる接合面５ａ〜８ａ，５ｂ〜８ｂを持った接合金具５〜８を介在させることによって、切断面１ａ〜４ａと接合面５ａ〜８ａ，５ｂ〜８ｂとの接合を単純化することが可能である。このため、これらの面にシート状の止水材９を配置したとき、この止水材９は各枠１〜４の切断面１ａ〜４ａに露出したリブが全て止水材９に接触し、ビスの締め付けに伴って対応する接合面５ａ〜８ａ，５ｂ〜８ｂに略均等な面圧で接触する。このため、良好な止水性を確保することが可能となる。
【００３２】
上記接合金具５〜８は、接合面５ａ〜８ａと接合面５ｂ〜８ｂが互いに直交するように形成されているが、これらの接合面５ａ〜８ａと接合面５ｂ〜８ｂのなす角度が９０度以外の角度であっても、各接合面５ａ〜８ａ，５ｂ〜８ｂが単一な平面として形成されると共に、各枠１〜４の切断面１ａ〜４ａが前記接合面５ａ〜８ａ，５ｂ〜８ｂの角度と一致していれば、特別な問題を派生することなく、良好な止水性を保持して接合することが可能である。
【実施例２】
【００３３】
次に、本発明に係る第２実施例について図を用いて説明する。尚、前述の実施例と同一の部分及び同一の機能を有する部分には同一の符号を付して説明を省略する。図２は接合金具６の例を説明する図である。図３は縦枠１を勝側の枠としたときの接合金具の例を説明する図である。図４は縦枠を接合した接合金具６に下横枠４を接合する際の説明図である。図５は接合金具６に縦枠１，下横枠４を接合した状態を説明する図である。図６は縦枠１の上部に上横枠３を取り付ける際の説明図である。
【００３４】
図に示す上横枠３と下横枠４は、夫々サッシＢの内法寸法と等しい寸法で、且つ長手方向に直角な切断面３ａ，４ａを有して形成されている。各横枠３，４は図５（ａ）或いは図６（ｂ）に示すように、多くのリブ３ｂ，４ｂやフォロー部３ｃ，４ｃを有して形成されており、個々のリブ３ｂ，４ｂ及びフォロー部３ｃ，４ｃの全てを均等に止水しない限り良好な止水性を発揮させることが困難である。尚、上横枠３の室外側の面には庇部３ｄが突出して形成されており、また下横枠４には水切部４ｄが突出して形成されている。
【００３５】
本実施例のサッシＢは、縦枠１，２の上端部が上横枠３の切断面３ａにまで達する所謂縦枠勝ちとして構成されている。このため、縦枠１，２（代表して縦枠１）の長さは、サッシＢの高さから接合金具６の高さを引いた寸法を持って形成されており、上端部の側面（上横枠３と対向する面）接合面１ｂとして単一な平面として形成されている。即ち、縦枠１の側面に形成されているリブ１ｃは、接合面１ｂとして機能させる部分では切除されており、これにより、単一な平面からなる接合面１ｂが形成されている。また縦枠１の室外側の面１ｄは後述する接合金具１０を取り付けるための取付面として形成されている。
【００３６】
縦枠１の側面の幅寸法と上横枠３の奥行き方向の寸法が異なり、特に上横枠３の奥行き寸法の方が大きい場合、縦勝ちに構成したとき、上横枠の断面が縦枠内に入らないことがある。このような場合、縦枠１の上端部に上横枠３の断面と同一な面となるような形状を持った接合金具１０を取り付けておくことで、該接合金具１０の接合面１０ｂと、縦枠１の接合面１ｂとによって上横枠３と略等しいか或いは大きい接合面を形成することが可能となる。
【００３７】
接合金具６は、図２に示すように、上面に縦枠１を接合するための接合面６ａが形成されると共に、側面に下横枠４を接合するための接合面６ｂが形成されている。これらの接合面６ａ，６ｂは互いに直交する面として形成され、夫々の接合面６ａ，６ｂにビスを挿通するための複数のビス穴６ｃが形成されている。また接合金具６の室外側の面には、下横枠４の屋外側の面と同様に水切部６ｄが形成されている。
【００３８】
尚、接合金具８は、上記接合金具６と対称形に形成されている。
【００３９】
縦枠１の上部であって室外側の面１ｄには、図３に示すように形成された接合金具１０が取り付けられている。この接合金具１０は、縦枠１と対向する面に接合面１０ａが形成され、側面に上横枠３の切断面３ａの一部を接合する接合面１０ｂが形成されている。尚、接合面１０ａ，１０ｂには縦枠１，上横枠３と接合する際にビスを挿通する複数のビス穴１０ｃが形成されている。また接合金物１０の室外側の面には、上横枠３の室外側の面に突出して形成された庇部３ｄと連続する庇部１０ｄが形成されている。
【００４０】
尚、本実施例では、縦枠２の上端部には接合金具１０と対称形に形成された接合金具が取り付けられている。
【００４１】
次に、上記接合金具６，１０を用いて縦枠１と上横枠３，下横枠４とを接合する接合部の構造について説明する。図５（ａ）に示すように、接合金具６の接合面６ａ，６ｂには夫々、縦枠１の外形、下横枠４の外形と略等しいか或いは大きい形状を持って切り抜かれた止水材９が配置され、該止水材９に対向して縦枠１の切断面１ａ，下横枠４の切断面４ａが配置される。
【００４２】
同図（ｂ）に示すように、接合金具６の接合面６ａは縦枠１の断面形状よりも大きい断面形状と断面積を持って形成されており、接合面６ｂは下横枠４の断面と略等しい形状と断面積を持って形成されている。従って、縦枠１の接合金具６に対する取付状態は、接合金具６の接合面６ａに配置した止水材９に余裕があり、確実な止水性を発揮することが可能である。
【００４３】
図４に示すように、接合金具６の接合面６ａに縦枠１が当接し、図示しないビスを締結することで、縦枠１の下端側に接合金具６が固定される。このとき、縦枠１の切断面１ａはリブ１ｃを含む全ての面が止水材９を介して接合金具６に締め付けられる。そして縦枠１の切断面１ａ及び接合金具６の接合面６ａが互いに単一な平面によって形成されることから、ビスの締め付けに伴って止水材９は略均等に変形し、これにより、信頼性の高い確実な止水性を発揮させることが可能である。
【００４４】
次いで、接合部材６の接合面６ｂに配置した止水材９に下横枠４の切断面４ａを当接させて図示しないビスを締結することで、接合金具６の接合面６ｂと下横枠４の切断面４ａによって止水材９を挟み込むと共に該止水材９を均等に変形させて信頼性の高い確実な止水性を発揮させることが可能である。
【００４５】
上記の如く、単一な平面からなる切断面１ａ，４ａを持った縦枠１と下横枠４とを、単一な平面からなる接合面６ａ，６ｂを持った接合金物６を介して接合することで、各枠１，４が複雑な断面形状を有する場合であっても、単純化された断面を利用して接合することが可能となり、且つ単純化された面に止水材９を配置しておくことで、確実な止水性を発揮させることが可能である。
【００４６】
図６（ａ），（ｂ）に示すように、縦枠１の上端側であって室外側の面１ｄには止水材９を介して接合金具１０が配置され図示しないビスによって締結され、これにより、縦枠１の側面に形成された接合面１ｂと、接合金具１０に形成された接合面１０ｂが互いに同一平面に配置されると共に、この配置状態を保持して固定されている。前記接合面１ｂ，１０ｂに止水材９が配置され、該止水材９を介して上横枠３の切断面３ａが対向すると共にビス１１によって締結されている。
【００４７】
上記の如く、縦枠１をサッシＢの上端部まで到達させた所謂縦勝ちに構成した場合であっても、縦枠１の室外側の面に庇部１０ｄを設けた接合金具１０を取り付けることで、上横枠３の断面形状が縦枠１の側面に形成した接合面１ｂによってカバーし得ない場合であっても、この上横枠３の断面をカバーすることが可能となり、確実な止水性を確保することが可能である。
【産業上の利用可能性】
【００４８】
本発明に係るサッシの接合構造では、特に、意匠性の高い住宅用サッシに適用して有利である。
【図面の簡単な説明】
【００４９】
【図１】本発明の接合構造の原理を説明する図である。
【図２】接合金具６の例を説明する図である。
【図３】縦枠１を勝側の枠としたときの接合金具の例を説明する図である。
【図４】縦枠を接合した接合金具６に下横枠４を接合する際の説明図である。
【図５】接合金具６に縦枠１，下横枠４を接合した状態を説明する図である。
【図６】縦枠１の上部に上横枠３を取り付ける際の説明図である。
【符号の説明】
【００５０】
Ａ，Ｂ                        サッシ
１，２                        縦枠
１ａ〜４ａ                    切断面
１ｂ                          接合面
１ｄ                          面
１ｃ，３ｂ，４ｂ              リブ
３                            上横枠
３ｃ，４ｃ                    フォロー部
３ｄ                          庇部
４                            下横枠
４ｄ                          水切部
５〜８                        接合金具
５ａ〜８ａ，５ｂ〜８ｂ        接合面
６ｃ                          ビス穴
６ｄ                          水切部
９                            止水材
１０                          接合金具
１０ａ，１０ｂ                接合面
１０ｃ                        ビス穴
１０ｄ                        庇部
１１                          ビス
【図１】
2005133304.tif 000003
【図２】
2005133304.tif 000004
【図３】
2005133304.tif 000005
【図４】
2005133304.tif 000006
【図５】
2005133304.tif 000007
【図６】
2005133304.tif 000008